(57)【要約】  化粧品組成物を分配するための装置であって、化粧品組成物を格納する少なくとも１つのカートリッジを保持するように構成されたカートリッジホルダであって、カートリッジを所定の場所に移動させるように構成されたカートリッジホルダと、出力容器を所定の場所の下に保持するように構成された容器受け入れエリアと、カートリッジホルダ内の化粧品組成物を決定し、決定に基づいてカートリッジホルダを所定の場所に移動させるようにカートリッジホルダを制御し、化粧品組成物を出力容器へと分配するようにカートリッジを制御するように構成された回路網と、出力容器を保持し、出力容器に所定の動きを与え、出力容器の内容物を混ぜ合わせるように構成されたミキサとを含む装置が提供される。【選択図】図１Ａ
2019509768.tif 000002
【特許請求の範囲】
【請求項１】
化粧品組成物を分配するための装置であって、
化粧品組成物を格納する少なくとも１つのカートリッジを保持するように構成されたカートリッジホルダであって、前記カートリッジを所定の場所に移動させるように構成されたカートリッジホルダと、
出力容器を前記所定の場所の下に保持するように構成された容器受け入れエリアと、
前記カートリッジホルダ内の前記化粧品組成物を決定し、前記決定に基づいて前記カートリッジを前記所定の場所に移動させるように前記カートリッジホルダを制御し、前記化粧品組成物を前記出力容器へと分配するように前記カートリッジを制御するように構成された回路網と、
前記出力容器を保持し、前記出力容器に所定の動きを与え、前記出力容器の内容物を混ぜ合わせるように構成されたミキサと
を備える装置。
【請求項２】
前記回路網が、前記カートリッジホルダ内の前記化粧品組成物の前記決定に基づいて前記カートリッジホルダを前記所定の場所に移動させるかどうかを、特定のユーザの受け取られた情報に基づいて決定するように構成される、請求項１に記載の装置。
【請求項３】
前記カートリッジホルダが、各々が異なる化粧品組成物を収容する複数のカートリッジを保持するように構成される、請求項１に記載の装置。
【請求項４】
前記回路網が、各それぞれの異なる化粧品組成物のそれぞれの量を前記出力容器へと別個に分配するために１つずつ前記所定の場所に移動するように前記複数のカートリッジのうちの複数カートリッジを制御するように構成される、請求項３に記載の装置。
【請求項５】
前記回路網が、特定のユーザに関する受信された外部情報に基づいて、前記出力容器へと分配するために前記複数カートリッジから前記異なる化粧品組成物の各々の前記それぞれの量を決定するように構成される、請求項４に記載の装置。
【請求項６】
前記カートリッジホルダが、前記少なくとも１つのカートリッジを前記所定の場所に移動させるために円筒軸の周りで回転するように構成される、請求項１に記載の装置。
【請求項７】
前記カートリッジホルダが、前記円筒軸の外周の一部分を取り囲む軌道上で回転するように構成される、請求項６に記載の装置。
【請求項８】
前記円筒軸が、前記ミキサのためのプラットフォームに対応する、請求項６に記載の装置。
【請求項９】
前記カートリッジが前記所定の場所に移動させられたときに前記カートリッジに前記化粧品組成物を分配させるように構成された、前記所定の場所の上に配置されているプランジャをさらに備える、請求項１に記載の装置。
【請求項１０】
ユーザが前記カートリッジホルダと前記ミキサの両方にアクセスすることを可能にするためにアクセスドアをさらに備える、請求項１に記載の装置。
【請求項１１】
化粧品組成物を分配するための装置上で実施される方法であって、前記装置が、化粧品組成物を格納する少なくとも１つのカートリッジを保持するように構成されたカートリッジホルダと、出力容器を所定の場所の下に保持するように構成された容器受け入れエリアと、前記出力容器を保持するように構成されたミキサとを含み、方法が、
前記容器受け入れエリアにおいて出力容器を受け入れることと、
前記カートリッジホルダ内の前記化粧品組成物を決定し、前記決定に基づいて前記カートリッジを前記所定の場所に移動させるように前記カートリッジホルダを制御することと、
前記カートリッジが前記所定の場所に移動させられた後、前記化粧品組成物を前記出力容器へと分配するように前記カートリッジを制御することと、
前記化粧品組成物が前記出力容器へと分配された後、前記ミキサにおいて前記受け入れ容器を受け入れ、前記出力容器に所定の動きを与え前記出力容器の内容物を混ぜ合わせるように前記ミキサを制御することと
を含む方法。
【請求項１２】
前記カートリッジホルダ内の前記化粧品組成物の前記決定に基づいて前記カートリッジホルダを前記所定の場所に移動させるかどうかを、特定のユーザの受け取られた情報に基づいて決定することをさらに含む、請求項１１に記載の方法。
【請求項１３】
前記カートリッジホルダが、各々が異なる化粧品組成物を収容する複数のカートリッジを保持するように構成され、前記方法が、各それぞれの異なる化粧品組成物のそれぞれの量を前記出力容器へと別個に分配するために１つずつ前記所定の場所に移動するように前記複数のカートリッジのうちの複数カートリッジを制御することをさらに含む、請求項１１に記載の方法。
【請求項１４】
特定のユーザに関する受信された外部情報に基づいて、前記出力容器へと分配するために前記複数カートリッジから前記異なる化粧品組成物の各々の前記それぞれの量を決定することをさらに含む、請求項１３に記載の方法。
【請求項１５】
前記少なくとも１つのカートリッジを前記所定の場所に移動させるために円筒軸の周りで回転するように前記カートリッジホルダを制御することをさらに含む、請求項１１に記載の方法。
【請求項１６】
前記円筒軸の外周の一部分を取り囲む軌道上で回転するように前記カートリッジホルダを制御することをさらに含む、請求項１５に記載の方法。
【請求項１７】
前記円筒軸が、前記ミキサのためのプラットフォームに対応する、請求項１５に記載の方法。
【請求項１８】
前記装置が、前記所定の場所の上に配置されたプランジャをさらに含み、前記方法が、前記カートリッジが前記所定の場所に移動させられたときに前記カートリッジに前記化粧品組成物を分配させるように前記プランジャを制御することをさらに含む、請求項１１に記載の方法。
【請求項１９】
化粧品組成物を分配するための装置であって、
化粧品組成物を格納する少なくとも１つのカートリッジを保持するための手段であって、前記カートリッジを所定の場所に移動させるように構成された前記少なくとも１つのカートリッジを保持するための手段と、
出力容器を前記所定の場所の下に保持するための手段と、
前記カートリッジホルダ内の前記化粧品組成物を決定し、前記決定に基づいて前記カートリッジを前記所定の場所に移動させるように、前記少なくとも１つのカートリッジを保持するための前記手段を制御し、前記化粧品組成物を前記出力容器へと分配するように前記カートリッジを制御するための手段と、
前記出力容器を保持し、前記出力容器に所定の動きを与え、前記出力容器の内容物を混ぜ合わせるための手段と
を備える装置。
【発明の詳細な説明】
【技術分野】
【０００１】
関連出願の相互参照
本出願は、２０１５年１２月１日に出願された米国出願第１４／９５６，０９３号に基づき、その優先権の利益を主張するものであり、その内容全体は、参照により本明細書に組み込まれる。
【０００２】
本明細書における開示は、一般に、特定の肌関心事に対処する目的で特定のユーザのためにブレンドおよび分配可能なブースター組成物およびベース組成物の組み合わせを決定するためのシステム、装置、および方法に関する。
【発明の概要】
【０００３】
一実施形態によれば、化粧品組成物を分配するための装置であって、化粧品組成物を格納する少なくとも１つのカートリッジを保持するように構成されたカートリッジホルダであって、カートリッジを所定の場所に移動させるように構成されたカートリッジホルダと、出力容器を所定の場所の下に保持するように構成された容器受け入れエリアと、カートリッジホルダ内の化粧品組成物を決定し、決定に基づいてカートリッジを所定の場所に移動させるようにカートリッジホルダを制御し、化粧品組成物を出力容器へと分配するようにカートリッジを制御するように構成された回路網と、出力容器を保持し、出力容器に所定の動きを与え、出力容器の内容物を混ぜ合わせるように構成されたミキサとを含む装置が提供される。
【０００４】
一実施形態によれば、回路網は、カートリッジホルダ内の化粧品組成物の決定に基づいてカートリッジホルダを所定の場所に移動させるかどうかを、特定のユーザの受け取られた情報に基づいて決定するように構成される。
【０００５】
一実施形態によれば、カートリッジホルダは、各々が異なる化粧品組成物を収容する複数のカートリッジを保持するように構成される。
【０００６】
一実施形態によれば、回路網は、各それぞれの異なる化粧品組成物のそれぞれの量を出力容器へと別個に分配するために１つずつ所定の場所に移動するように複数のカートリッジのうちの複数カートリッジを制御するように構成される。
【０００７】
一実施形態によれば、回路網は、特定のユーザに関する受信された外部情報に基づいて、出力容器へと分配するために複数カートリッジから異なる化粧品組成物の各々のそれぞれの量を決定するように構成される。
【０００８】
一実施形態によれば、カートリッジホルダは、少なくとも１つのカートリッジを所定の場所に移動させるために円筒軸の周りで回転させるように構成される。
【０００９】
一実施形態によれば、カートリッジホルダは、円筒軸の外周の一部分を取り囲む軌道上で回転するように構成される。
【００１０】
一実施形態によれば、円筒軸は、ミキサのためのプラットフォームに対応する。
【００１１】
一実施形態によれば、プランジャが所定の場所の上に配置され、カートリッジが所定の場所に移動させられたときにカートリッジに化粧品組成物を分配させるように構成される。
【００１２】
一実施形態によれば、ユーザがカートリッジホルダとミキサの両方にアクセスすることを可能にするためにアクセスドアが提供される。
【００１３】
一実施形態によれば、化粧品組成物を分配するための装置上で実施される方法であって、この装置は、化粧品組成物を格納する少なくとも１つのカートリッジを保持するように構成されたカートリッジホルダと、出力容器を所定の場所の下に保持するように構成された容器受け入れエリアと、出力容器を保持するように構成されたミキサとを含み、方法は、容器受け入れエリアにおいて出力容器を受け入れることと、カートリッジホルダ内の化粧品組成物を決定し、この決定に基づいてカートリッジホルダを所定の場所に移動させるようにカートリッジホルダを制御することと、カートリッジが所定の場所に移動させられた後、化粧品組成物を出力容器へと分配するようにカートリッジを制御することと、化粧品組成物が出力容器へと分配された後、ミキサにおいて受け入れ容器を受け入れ、出力容器を所定の移動に供して出力容器の内容物を混ぜ合わせるようにミキサを制御することとを含む方法が提供される。
【００１４】
特許ファイルまたは出願ファイルは、カラーで実行される少なくとも１つの図面を組み入れている。カラー図面をもつ本特許または本特許出願公報の写しは、要求および必要な料金の支払いに応じて、特許庁によって提供される。
【００１５】
本開示およびその付随する利点の多くに対するより完全な認識は、添付の図面に関連して考慮されるとき、以下の詳細な説明を参照しながらより一層理解されるようになると、容易に得られるであろう。
【図面の簡単な説明】
【００１６】
【図１Ａ】一実施形態による、ブレンド装置の異なる図である。
【図１Ｂ】一実施形態による、ブレンド装置の異なる図である。
【図１Ｃ】一実施形態による、ブレンド装置の異なる図である。
【図２Ａ−２Ｂ】一実施形態による、ブレンド装置内の回転式コンベアの詳細図である。
【図２Ｃ】一実施形態による、ブレンド装置内の回転式コンベアの詳細図である。
【図２Ｄ】一実施形態による、ブレンド装置内の回転式コンベアの詳細図である。
【図３Ａ−３Ｂ】一実施形態による、例示的なカートリッジの詳細図である。
【図４Ａ】一実施形態による、ブレンド装置内のディスペンサの正面図である。
【図４Ｂ】一実施形態による、ブレンド装置内のディスペンサの側面図である。
【図５】一実施形態による、カートリッジ位置を感知するセンサを含むブレンド装置の図である。
【図６Ａ】一実施形態によるミキサ１３０の詳細図である。
【図６Ｂ】一実施形態によるミキサ１３０の詳細図である。
【図７】一実施形態による、装置内に含まれるハードウェアのブロック図である。
【図８】一実施形態による、ブレンド装置によって実行されるプロセスまたはアルゴリズムのフローチャートである。
【図９】一実施形態による、ブレンド装置内のブースター組成物またはベース組成物の現在のセットを決定するためのサブプロセスまたはアルゴリズムの一例を示す図である。
【図１０】一実施形態による、カートリッジをディスペンサに移動させるように回転式コンベアを制御するためのプロセスまたはアルゴリズムの一例を示す図である。
【図１１Ａ】一実施形態による、組成物をカートリッジから出力容器へと分配するためのプロセスまたはアルゴリズムの一例を示す図である。
【図１１Ｂ】一実施形態による、ミキサによる混合プロセスを制御するために実行されるプロセスまたはアルゴリズムの一例を示す図である。
【図１２】一実施形態による、ブレンド装置を実施する全体的なシステムを示す。
【図１３】一実施形態による、システムによって実行されるプロセスを示す図である。
【図１４Ａ】一実施形態による、システム内での肌診断後の情報処理装置の出力画面である。
【図１４Ｂ】一実施形態による、システム内での肌診断後の情報処理装置の出力画面である。
【図１５】一実施形態による、システム内で肌診断が実行されない出力画面の一例である。
【図１６】一実施形態による、配合表（ｒｅｃｉｐｅ）に含まれるベース組成物のタイプを選択するようにユーザに促すための出力画面の一例である。
【図１７】一実施形態による、軽いテクスチャまたはリッチなテクスチャの間でブレンドされた組成物のテクスチャのタイプを選択するようにユーザに促すための出力画面の一例である。
【図１８】一実施形態による、配合表に含まれる香りのタイプを選択するようにユーザに促すための出力画面の一例である。
【図１９】一実施形態による、具体的な配合表を決定するために使用されるルールのセットの一例である。
【図２０】一実施形態による、配合表を決定するためのプロセスまたはアルゴリズムを示す図である。
【図２１】一実施形態による、エンドツーエンドプロセスがシステムを使用してどのように進み得るかの一例を提供する詳細なフローチャートである。
【発明を実施するための形態】
【００１７】
同様の参照番号は、すべての図面を通して、同一のパーツまたは対応するパーツを示す。
【００１８】
図１は、一実施形態による、化粧品組成物を分配および混合するためのブレンド装置１００を示す。
【００１９】
ブレンド装置１００の背面図の図１Ａに示されるように、装置は、カートリッジ１２０を保持するためのカートリッジホルダとして機能する回転式コンベア１１０を含む。装置は、プラットフォーム１４０上に配置されるミキサ１３０をさらに含む。プラットフォーム１４０は、回転式コンベア１１０がプラットフォーム１４０の外周の周りで回転可能であるように配置される。装置は、外側パネル１５０を含むハウジングをさらに含み、上部パネル（図示せず）は、ヒンジ１５５を使用して開閉するアクセスドアとして機能する。
【００２０】
図１Ｂは、装置１００の正面図を示し、装置１００がディスペンサ１４０をさらに含むことを示す。ディスペンサ１４０は、分配モータ１４２と、分配プランジャ１４４とを含む。装置は、ディスペンサ１４０の下に配置された容器受け入れエリア１５０をさらに含み、容器受け入れエリア１５０は、ベースプレート１５２と、容器１５４を保持するための容器ホルダ１５２とを含む。
【００２１】
図１Ｃは、主回路網基板１７０、ワイヤレスインタフェース１７２、近距離通信（ＮＦＣ）インタフェース１７４、および電源１７６などの、装置１００のさらなる詳細を示す。非限定的な一例では、当業者に理解されるように、ワイヤレスインタフェース１７２はブルートゥースインタフェースであってよいが、ワイヤレスインタフェース１７２は、異なるタイプのワイヤレスインタフェースであってもよい。
【００２２】
図２Ａ〜図２Ｄは、回転式コンベア１１０の詳細図を示す。図２Ａに示されるように、回転式コンベアは、カートリッジを受けるための異なるスロット２１０および２１２を含む。スロット２１０は、ブースター組成物を保持するカートリッジを受けるようなサイズにされる。スロット２１２は、セラムベースまたはクリームベースなどのベース組成物を保持するカートリッジを受けるようなサイズにされる。ベース組成物のためのカートリッジは、ベース組成物のための使用の体積および頻度の増加に鑑みてブースター組成物のためのカートリッジよりも大きいように設定されるので、スロット２１２はスロット２１０よりも大きいことがわかる。図２Ａは、回転式コンベアが、円形の縁２１６によって画定された軌道に沿って移動するように構成されたホイール２１４を含むことをさらに示す。さらに、中心部分２１８は、回転式コンベア１１０の内側セクションを、図２Ｂに示されるモータに取り付けさせる。
【００２３】
図２Ｂは、伝達ギア２２２を回転させる働きをする回転式コンベアモータ２２０を示し、伝達ギア２２２は、回転式コンベアの中心部分２１８に取り付けられた受動ギア２２４を移動させる。
【００２４】
図２Ｃは、回転式コンベア１１０の底面図を示す。図２Ｃは、ブースタースロット内にあるカートリッジ１２０に対するＮＦＣインタフェースの位置を示す。ＮＦＣインタフェースは、平均して４ｃｍの最大通信距離を有するので、ＮＦＣインタフェースは、カートリッジに非常に近いように位置決めされる。ベースカートリッジ３０４（図３Ｂに示される）の余分なサイズを明らかにするために、ＮＦＣインタフェースは、回転式コンベアが移動するとＮＦＣが位置を柔軟に調整することを可能にするばね付勢される取り付けアーム２２６に取り付けられ、ＮＦＣインタフェースは、ベースカートリッジ３０４によって接触される。この構成を用いると、ＮＦＣインタフェースは、カートリッジのサイズの違いに関係なく、ブースターカートリッジ、またはＮＦＣインタフェースに隣接して位置決めされたベースカートリッジのどちらかに近いままである。
【００２５】
図３Ａおよび図３Ｂは、回転式コンベア１１０の受け入れエリア２１０または２１２内に配置された例示的なカートリッジの詳細図を示す。図３Ａはブースターカートリッジ３０２を示し、ブースターカートリッジ３０２は、本体部分３２０と、空気ノズル３２２と、分配プランジャ１４４によって押されると本体部分３２０のシャフトを下方に移動させるように構成された移動可能ディスク３２６を含む上部カバー３２４とを含む。図３Ｂはベースカートリッジ３０４を示し、ベースカートリッジ３０４は、ブースターカートリッジ３０２と類似の構成要素を有するが、より大きな体積を扱うためにより大きな幅をもつ。
【００２６】
各カートリッジは、カートリッジが満たされると初期化されるＮＦＣタグ３３０を有する。一例では、ＮＦＣタグは、カートリッジ内のシリンジに付着される。カートリッジは、実際には、このシリンジを覆って、ＮＦＣタグを視覚的に隠し、それが十分に方向付けられることを保証するシースから構成される。装置１００のアクセスパネルが開かれ、次いで閉じられるたびに、スロット２１０または２１２に挿入された任意のカートリッジのＮＦＣタグの各々に対してスキャンが実行される。ＮＦＣインタフェースがスキャンを行った後、次いで、装置は、各カートリッジに対して、
−  成分ＩＤ
−  成分のロット番号
−  使用期限
−  体積
を学習する。
【００２７】
さらに、分配動作が実行された後、体積は、新しい体積（分配された体積を古い体積から減算することに基づく）をＮＦＣ上に書き込むことによって更新される。
【００２８】
図４Ａおよび図４Ｂはそれぞれ、ディスペンサ１４０の正面図および側面図を示し、ディスペンサ１４０は、分配モータ１４２と、分配プランジャ１４４とを含む。回転式コンベアがカートリッジを分配領域へと移動させると、分配モータ１４４は、ＣＰＵから信号を受け取る。分配モータは、移送ベルト４０４による結合を通して受動スピンドル４０６の回転を引き起こす伝達スピンドル４０２を回転させるように起動する。ディスク４０８は、ねじおよびねじ山機構４２２（図４Ｂを参照されたい）によってスピンドル４０６に取り付けられるので、スピンドル４０６の回転によって、ディスク４０８（入れ子部分４１０の後ろに示される）が下方へ移動する。ディスク４０８は、ディスク４０８が上下に移動されるとシャフト４１６を上下に移動させるように設計された可動プラットフォーム４１４に取り付けられる。シャフトは、固定されたプラットフォーム４２０に取り付けられる。図４Ａの前景では、入れ子部分４１０およびプランジャ１４４が、ディスペンサ１４０のプラットフォーム４１４の各々の側に取り付けられる。入れ子部分４１０の上部部分は、モータ１４２も支持する固定プラットフォーム４１８に取り付けられる。可動プラットフォーム４１４が、上記で説明されたように、上下に移動されると、プランジャ１４４も上下に移動され、入れ子部分４１０は、それに応じて収縮または拡張する。
【００２９】
一例では、カートリッジ５２０のうちの１つは、図５に示されるセンサ５０２を使用することによってディスペンサ１４０の下の適切な位置へと移動されるために検出される。センサ５０２は、金属プレート５０４における変化を検出する誘導センサであってよく、金属プレート５０４は、図５に示されるように、回転式コンベアの下の薄い金属ストリップである。金属プレート５０４における変化は、金属プレート内の孔であってよい。
【００３０】
一例では、回転式コンベア５１０上の誘導センサは、回転式コンベアの元の位置（「ホーム」位置）のみを検出し、モータ５０８によって駆動され軸受け５１２の周りで移動する駆動ギア５０６上のモータステップカウントは、ホーム位置からブースター／ベース位置に正確に移動するのに十分に信頼性が高く、反復可能である。別の例では、いつ各ブースターまたは各ベースが分配エリアへとまたはＮＦＣインタフェースの検出の点に移動したかを表す、金属プレートにおける変化すなわち孔がある。センサ５０２の感度は、感度調整ねじ５１４によって調整されてよい。
【００３１】
ＣＰＵは、ロードセルを使用する閉ループを用いて標的体積にいつ達したかを検出するように構成される。ロードセル（図示せず）は、容器ホルダ１５２の下に配置される。ロードセルは、満たされている容器ホルダを量ることによって分配される実際の体積を測定し、体積に達するとプランジャを引っ込めさせるために、信号が分配モータに送られる。さらに、プランジャは、プランジャがカートリッジに達するまですばやく下り、次いで、カートリッジ上に置かれた金属リングを検出することが可能であるプランジャ上のセンサ（図示せず）があるので、減速する。
【００３２】
図６Ａおよび図６Ｂは、容器内に設置されたブースター組成物とベース組成物を混合させる働きをし、キャリア６１０が容器を保持する混合側と、釣り合いおもり６２０を含むバランス側とを備えるミキサ１３０の詳細図を示す。回転キャリア６３０は、バランス側Ａおよび混合側Ｍを横切って延びる。駆動モータ６４０は、駆動シャフト６４５を介してキャリア６３０を駆動する働きをする。
【００３３】
混合側では、キャリア６１０は、回転キャリア６３０の回転の角度に対してある角度で配置された軸に沿って容器を回転させるために図６Ｂに示される駆動シャフト６５０によって駆動される回転キャリアである。図６Ａおよび図６Ｂは、ベルト６６０がドライバモータ６４０による回転をつなげ、プーリ機構６６５の助けを借りて上述の角度でキャリア６１０を駆動することを示す。したがって、駆動シャフト６５０に沿ってキャリア６１０を回転させるために、別個のモータは必要とされない。
【００３４】
ミキサは、コネクタ６７０およびプラットフォーム６８０によってプラットフォーム１４０に取り付けられる。
【００３５】
図７は、装置内に含まれるハードウェアのブロック図を示す。中央処理ユニット（ＣＰＵ）７１０は、回転式コンベアモータ制御回路網７２０、ＮＦＣインタフェース７３０、ディスペンサ制御回路網７４０（分配モータ制御回路網と誘導センサ回路網とを含む）、ロードセル条件付け回路網７５０、ミキサ制御回路網７６０などの、装置内に含まれる別個の回路網構成要素に対する主な制御を提供する。ＣＰＵ７１０は、任意選択の入力／出力デバイス（キーボードまたはマウスなど）、メモリ７８０、ワイヤレス通信インタフェース回路網７７４、ユニバーサルシリアルバス（ＵＳＢ）コントローラ７７６、ＬＥＤドライバ７７８、およびディスプレイモジュール７８０も制御する。ＬＥＤドライバは、容器ホルダ１５２を照らす１つまたは複数のＬＥＤのパルシングを制御する。
【００３６】
一実施形態では、回路網は、とりわけ、プロセッサ（たとえば、マイクロプロセッサ、量子プロセッサ、量子ビットプロセッサなど）、中央処理ユニット（ＣＰＵ）、デジタル信号プロセッサ（ＤＳＰ）、特定用途向け集積回路（ＡＳＩＣ）、フィールドプログラマブルゲートアレイ（ＦＰＧＡ）など、またはそれらの任意の組み合わせなどの１つまたは複数のコンピューティングデバイスを含み、ディスクリートデジタル回路素子もしくはディスクリートデジタル回路エレクトロニクスもしくはディスクリートアナログ回路素子もしくはディスクリートアナログ回路エレクトロニクス、またはそれらの組み合わせを含むことができる。一実施形態では、モジュールは、複数のあらかじめ定義されたロジック構成要素を有する１つまたは複数のＡＳＩＣを含む。一実施形態では、モジュールは、１つまたは複数のＦＰＧＡを含み、各々は、複数のプログラマブルロジック構成要素を有する。
【００３７】
一実施形態では、回路網は、互いに動作可能に結合された（たとえば、通信可能に、電磁的に、磁気的に、超音波的に、光学的に、誘導的に、電気的に、容量的に結合された、ワイヤレスで結合された、など）１つまたは複数の構成要素を含む。一実施形態では、回路網は、１つまたは複数の遠く離れて設置された構成要素を含む。一実施形態では、遠く離れて設置された構成要素は、たとえば、ワイヤレス通信を介して動作可能に結合される。一実施形態では、遠く離れて設置された構成要素は、たとえば、１つまたは複数の通信モジュール、受信機、送信機、トランシーバなどを介して動作可能に結合される。
【００３８】
一実施形態では、ＣＰＵ７１０または図７に示される他の構成要素のいずれも、代替回路網素子と置き換えられてよい。回路網の例としては、たとえば、命令または情報を記憶するメモリがある。メモリの非限定的な例としては、揮発性メモリ（たとえば、ランダムアクセスメモリ（ＲＡＭ）、ダイナミックランダムアクセスメモリ（ＤＲＡＭ）など）、不揮発性メモリ（たとえば、読み出し専用メモリ（ＲＯＭ）、電気消去可能プログラマブル読み出し専用メモリ（ＥＥＰＲＯＭ）、コンパクトディスク読み出し専用メモリ（ＣＤ−ＲＯＭ）など）、永続的メモリなどがある。メモリのさらなる非限定的な例としては、消去可能プログラマブル読み出し専用メモリ（ＥＰＲＯＭ）、フラッシュメモリなどがある。一実施形態では、メモリは、たとえば、１つまたは複数の命令、情報、または電力バスによって、１つまたは複数のコンピューティングデバイスに結合される。
【００３９】
一実施形態では、回路網は、１つまたは複数のコンピュータ可読媒体ドライブ、インタフェースソケット、ユニバーサルシリアルバス（ＵＳＢ）ポート、メモリカードスロットなどと、たとえば、グラフィカルユーザインタフェース、ディスプレイ、キーボード、キーパッド、トラックボール、ジョイスティック、タッチスクリーン、マウス、スイッチ、ダイアルなどの１つまたは複数の入力／出力構成要素と、他の任意の周辺デバイスを含む。一実施形態では、モジュールは、たとえば、ターンオン電圧における検出されたシフトに応答する１つまたは複数の組織熱性質を決定することに関連付けられた少なくとも１つのパラメータを制御する（電気的、電気機械的、ソフトウェアにより実装される、ファームウェアにより実装される、または他の制御部、またはそれらの組み合わせ）ように構成された少なくとも１つのコンピューティングデバイスに動作可能に結合された１つまたは複数のユーザ入力／出力構成要素を含む。
【００４０】
一実施形態では、回路網は、信号搬送媒体（たとえば、コンピュータ可読メモリ媒体、コンピュータ可読記録媒体など）を受け入れるように構成されたコンピュータ可読媒体ドライブまたはメモリスロットを含む。一実施形態では、開示された方法のいずれかをシステムに実行させるためのプログラムは、たとえば、コンピュータ可読記録媒体、信号搬送媒体などに記憶可能である。信号搬送媒体の非限定的な例としては、磁気テープ、フロッピーディスク、ハードディスクドライブ、コンパクトディスク（ＣＤ）、デジタルビデオディスク（ＤＶＤ）、ブルーレイディスク、デジタルテープ、コンピュータメモリなどの記録可能タイプ媒体、ならびにデジタル通信媒体またはアナログ通信媒体（たとえば、光ファイバケーブル、導波管、ワイヤード通信リンク、ワイヤレス通信リンク（たとえば、受信機、送信機、トランシーバ、送信ロジック、受信ロジックなど）などの伝送タイプ媒体がある。信号搬送媒体のさらなる非限定的な例としては、限定するものではないが、ＤＶＤ−ＲＯＭ、ＤＶＤ−ＲＡＭ、ＤＶＤ＋ＲＷ、ＤＶＤ−ＲＷ、ＤＶＤ−Ｒ、ＤＶＤ＋Ｒ、ＣＤ−ＲＯＭ、スーパーオーディオＣＤ、ＣＤ−Ｒ、ＣＤ＋Ｒ、ＣＤ＋ＲＷ、ＣＤ−ＲＷ、ビデオコンパクトディスク、スーパービデオディスク、フラッシュメモリ、磁気テープ、光磁気ディスク、ミニディスク、不揮発性メモリカード、ＥＥＰＲＯＭ、光ディスク、光記憶、ＲＡＭ、ＲＯＭ、システムメモリ、ウェブサーバなどがある。
【００４１】
一実施形態では、回路網は、音響トランスデューサ、電気音響トランスデューサ、電気化学トランスデューサ、電磁トランスデューサ、電気機械トランスデューサ、静電トランスデューサ、光電トランスデューサ、無線音響トランスデューサ、熱電トランスデューサ、または超音波トランスデューサを含む。
【００４２】
一実施形態では、回路網としては、トランスデューサ（たとえば、アクチュエータ、モータ、圧電結晶、微小電子機械システム（ＭＥＭＳ）など）と動作可能に結合された電気回路網がある。一実施形態では、回路網としては、少なくとも１つのディスクリート電気回路を有する電気回路網、少なくとも１つの集積回路を有する電気回路網、または少なくとも１つの特定用途向け集積回路を有する電気回路網がある。一実施形態では、回路網としては、コンピュータプログラムによって構成される汎用コンピューティングデバイス（たとえば、プロセスおよび／もしくは本明細書において説明されるデバイスを少なくとも部分的に行うコンピュータプログラムによって構成される汎用コンピュータ、または本明細書において説明されるプロセスおよび／もしくはデバイスを少なくとも部分的に行うコンピュータプログラムによって構成されるマイクロプロセッサ）を形成する電気回路網、メモリデバイス（たとえば、メモリの形態（たとえば、ランダムアクセス、フラッシュ、読み出し専用など））を形成する電気回路網、通信デバイス（たとえば、モデム、通信スイッチ、光電気機器など）を形成する電気回路網、および／または光学的類似物もしくは他の類似物などの任意のその非電気的類似物がある。
【００４３】
図８は、ブレンド装置１００の回路網によって制御されるプロセスまたはアルゴリズムのフローチャートを示す。プロセスの開始後、ステップ８１０において、配合表がメモリから受け取られる。ステップ８２０において、回路網は、正しいカートリッジが据え付けられているかどうかを決定する。正しいカートリッジが挿入されている場合、プロセスはステップ８４０に移動し、そうでない場合は、ステップ８３０において、装置は、正しいカートリッジが挿入される必要があることを示すメッセージをユーザに出力する。ステップ８４０において、回転式コンベアは、配合表における第１のカートリッジをディスペンサに移動させるように制御される。ステップ８５０では、ディスペンサは、配合表に従ってカートリッジ内で必要とされる体積の組成物を分配するように制御される。ステップ８６０において、回路網は、追加カートリッジが配合表に必要とされるかどうかを決定する。８６０において決定が「はい」である場合、ステップ８７０において、プロセスは、配合表における次のカートリッジをディスペンサに移動させることに進み、プロセスは、ステップ８５０から進む。ステップ８６０において「いいえ」である場合、プロセスは終了する。
【００４４】
図９は、装置１００内のブースター組成物またはベース組成物の現在のセットを決定するために装置１００の回路網によって実行されるサブプロセスまたはアルゴリズムの一例を示す。ステップ９１０において、配合表がメモリから受け取られる。ステップ９２０において、回路網は、回転式コンベア内に格納された現在のカートリッジをチェックする。ステップ９３０において、回路網は、回転式コンベア内に格納された現在のカートリッジが、受け取られた配合表に必要とされるカートリッジのすべてを含むどうかを決定する。この決定が「いいえ」である場合、ステップ９４０において、必要とされるカートリッジを挿入することをユーザに要求するメッセージがユーザに出力される。決定が「はい」である場合、サブプロセスが終了し、回路網は、カートリッジをディスペンサに移動させるプロセスに進む。
【００４５】
図１０は、方法全体のサブプロセスとして、カートリッジをディスペンサに移動させるように回転式コンベアを制御するために装置１００の回路網によって実行されるプロセスまたはアルゴリズムの一例を示す。ステップ１０１０において、回転式コンベアは、配合表における第１の（または次の）カートリッジをディスペンサに移動させるように制御される。ステップ１０２０において、分配サブプロセス（図１１に示されるような）が遂行される。ステップ１０３０において、回路網は、追加配合表要素が配合表内にあるかどうかを決定する。この決定が「はい」である場合、プロセスは、ステップ１０１０において反復する。この決定が「いいえ」である場合、プロセスは終了する。この時点で、装置は、配合表に対応する組成物が容器へと完全に分配されることを示すメッセージをユーザに出力することがある。
【００４６】
図１１Ａは、組成物をカートリッジから出力容器へと分配するために回路網によって実行されるプロセスまたはアルゴリズムの一例を示す。ステップ１１１０において、回路網は、カートリッジがディスペンサにおいて所定の位置にあることを示す信号を受け取る。ステップ１１２０において、回路網は、指定された体積の配合表要素に従ってプランジャを下方へ移動させるようにディスペンサモータを制御する。上記で説明されたように、体積の指示が、カートリッジ内または回転式コンベア内に配置されたロードセルによって提供されることがあり、回路網は、ステップ１１３０において、標的体積がいつ分配されたかをロードセルから知る。この時点で、ステップ１１４０では、回路網は、ディスペンサプランジャの動きを停止および／または逆転させるようにディスペンサモータを制御し、したがって、分配サブプロセスを終了する。
【００４７】
図１１Ｂは、ミキサ１４０による混合プロセスを制御するために実行されるプロセスまたはアルゴリズムの一例を示す。ステップ１１５０において、ブレンド装置１００のユーザが出力容器をミキサキャリアに挿入し、アクセスパネルを閉じた後、回路網は、ミキサを作動させるための開始信号を受け取る。ステップ１１６０において、回路網は、所定のスピードで所定の時間にわたってキャリアを回転させるようにミキサモータを制御する。たとえば、そのようなスピードは、１２００ＲＰＭまたは２０００ＲＰＭであってよく、所定の時間は、３０秒または６０秒であってよい。ステップ１１７０において、所定の時間に達する（または、停止信号がユーザによって手動で入力される）と、回路網はミキサモータを停止する。ステップ１１８０において、回路網は、混合が完了したことを示すメッセージを出力するようにディスプレイモジュール７８０を制御し、次いで、プロセスが終了する。
【００４８】
図１２は、上記で説明された装置１００を実施するシステム１２００を示す。図１２に示されるように、システムは、少なくとも、装置１００と、情報処理装置１２１０と、プリンタ１２２０とを含む。任意選択で、システムは、クラウドコンピューティング環境の一部として実施する１つまたは複数の外部サーバデバイスまたは情報処理装置１２３０をさらに含んでよい。そのうえ、システムは、任意選択で、装置１００に挿入されることになるブースター組成物およびベース組成物のためのインベントリであるインベントリ１２４０を含んでよい。
【００４９】
情報処理装置１２１０は、パーソナルコンピュータ（ＰＣ）、ラップトップコンピュータ、ＰＤＡ（携帯情報端末）、スマートフォン、タブレットデバイス、ＵＭＰＣ（ウルトラモバイルパーソナルコンピュータ）、ネットブック、またはノートブックタイプのパーソナルコンピュータであってよい。以下の例では、情報処理装置１２１０は、Ａｐｐｌｅ  ｉＰａｄなどのタブレットデバイスであると仮定される。
【００５０】
プリンタ１２２０は、ラベルを印刷する機能を有する、当技術分野で理解されるような任意のタイプの印刷または画像形成デバイスであってよい。以下の例では、印刷デバイスは、ワイヤレスＢｒｏｔｈｅｒ  ＰＴＰ７５０Ｗなどのラベルプリンタであると仮定される。
【００５１】
情報処理装置１２１０およびプリンタ１２２０の各々は、装置１００上のブルートゥースインタフェースによって装置１００とのワイヤレス通信を実行することが可能である。しかしながら、情報処理装置１２１０およびプリンタ１２２０の各々は、装置１００上のＵＳＢインタフェースによって装置１００へのワイヤード接続を有することも可能である。さらに、装置１００を含む各デバイスは、ワイヤレスインターネットアクセスポイントへの８０２．１１ワイヤレス接続、またはイーサネットインタフェースを通してなど、インターネットアクセスポイントへの物理接続を介して、インターネット接続を通して、互いに、および外部の１つまたは複数のデバイスと通信してよい。情報処理装置１２１０およびプリンタ１２２０の各々は、加えて、ブルートゥース接続または他のワイヤレス手段を通して、互いとのワイヤレス通信を実行することが可能である。
【００５２】
情報処理装置１２１０は、組成物を出力容器へと分配するために装置１００によって使用される配合表を生成する際に使用するために、ユーザについての情報を受信するように構成される。情報処理装置１２１０は、分配された組成物を顧客ユーザに販売する小売店で勤務する「ビューティーアドバイザ」（ＢＡ）によって動作されてよい。しかしながら、情報処理装置１２１０は、顧客ユーザによって直接的に動作されることも可能である。
【００５３】
システム１２００によって実行されるプロセスが図１３に示されている。ステップ１３１０では、情報処理装置１２１０は、以下でより詳細に説明される、出力容器へと分配されるユーザ固有ブレンドを作製するための配合表を決定するために使用される、ユーザについての情報またはユーザからの情報を受信する。ステップ１３２０では、ユーザの優先事項に対処するために混合されることになる１つまたは複数の化粧品組成物を含む配合表が決定される。この決定は、情報処理装置１２１０の回路網によって実行されてよいが、この決定は、別のデバイスに関連して一緒に決定されてもよいし、別のデバイス上で一緒に決定されてもよい。たとえば、情報処理装置１２１０は、ステップ１３１０において受信された情報を外部サーバデバイス１２３０に提供してよく、外部サーバデバイスの回路網は配合表を決定する。代替的に、情報は、配合表を決定するブレンド装置１００に直接的に提供されてよい。最終決定された配合表は、情報処理装置１２１０上での表示のために出力される。ステップ１３３０では、ステップ１３２０において決定される配合表は、情報処理装置１２１０とブレンド装置との間に存在するワイヤード接続またはブルートゥース接続などのワイヤレス接続を通じてブレンド装置１００に提供される。ブレンド装置１００は、上記で詳細に説明されたように、配合表に従って適した組成物を出力容器へと分配し、ブレンドされた組成物を混合する。ステップ１３４０では、プリンタ１２２０は、ユーザ識別情報および出力容器内のブレンドされた組成物に関する情報を受信し、それに応じて、出力容器上に置かれることになるラベルを印刷する。プリンタは、この情報をブレンド装置１００、情報処理装置１２１０、または外部サーバ１２３０から受信してよい。ステップ１３５０では、ユーザは、ブレンドされた組成物が完成され、ピックアップの準備ができていることが通知される。この通知は、情報処理装置１２１０、装置１００、または外部サーバ１２３０のいずれかから来てよく、通知は、システム内に記憶されたユーザの電子メールアドレスへの電子メールの形をとってよく、または、通知は、ＳＭＳテキストメッセージの形をとることもできる。
【００５４】
非限定的な一例では、情報処理装置１２１０は、配合表を生成する目的でユーザについての情報を収集するために、ユーザに一連の質問を出力するように構成される。しかしながら、情報を情報処理装置１２１０へと入力するために、表示される質問によって促されることなく、情報処理装置１２１０上に表示された適したフィールドへとユーザが情報を直接的に入力する代替実施形態も利用可能である。
【００５５】
情報処理装置１２１０は、名前、年齢、肌の色合い、またはユーザのプロフィールを生成するために使用され得る他の任意の情報などの、ユーザについての経歴情報を収集する。ユーザの配合表を生成するために、一連の質問またはフィールドが、装置１００によって分配される組成物を通して対処することをユーザが希望する肌の状態のタイプに対する好みを生成するために、ユーザに示される。
【００５６】
アンケートに加えて、当技術分野で知られているように、任意選択の肌診断が、肌診断アプリケーションによって実行されてよい。
【００５７】
これらの質問に対する応答、フィールドの記入事項、または肌診断に基づいて、情報処理装置１２１０は、装置１００によって分配されることになるブースター組成物およびベース組成物の配合表を生成する。
【００５８】
図１４Ａおよび図１４Ｂは、肌診断の後の情報処理装置１２１０の出力画面を示す。この実施形態では、肌診断（本明細書において肌プロフィールと呼ばれることもある）は、ユーザの顔に対して実行されるイメージング動作に基づいて、ユーザの主要な関心事を決定する。診断は、たとえば、肌のくすみ、敏感肌、色合い、しわ、または脂性肌などの、関心事のカテゴリのスコアを決定することがある。Ｌａｎｃｏｍｅ  Ｄｉａｇｎｏｓ  ＡＢＳ、ＨＲ  Ｓｋｉｎｓｃｏｐｅ、Ｂｉｏｔｈｅｒｍ  Ｂｌｕｅｓｍａｒｔ、Ｋｉｅｈｌ’ｓ  Ｓｋｉｎｐｒｏｆｉｌｅｒ  Ｖ．０、ＣＡ  Ｄｅｒｍａｎａｌｙｚｅｒ、およびＶｉｃｈｙ  Ｖｉｃｈｙｃｏｎｓｕｌｔなどの、肌診断を実行するためのさまざまなデバイスは、当技術分野では容易に理解される。
【００５９】
３層重み付けシステムが図１４Ａに示されている。「高」、「低」、および「中」という重みは、肌診断によって各関心エリアに割り当てられ得る。
【００６０】
次いで、各関心エリアは、配合表において対処されることになる選択に利用可能である。図１４Ａに示される実施形態では、関心エリアの選択を示すために、チェックマークが使用される。図１４Ａに示されるように、情報処理装置は、肌診断において見られる「高」関心エリアのデフォルト選択（この特定の例における「くすみ」など）を含むことがある。次いで、図１４Ｂは、配合表へと入力されることをユーザが望む、ユーザにより示された追加関心エリアの選択を示す。この特定の非限定的な例では、最大で３つのアクティブなブースター組成物が選択され得る。
【００６１】
図１５は、肌診断が実行されない出力画面の一例を示し、ユーザは、配合表の生成への寄与のために情報処理装置へと入力されることになる関心事を直接的に示す。
【００６２】
非限定的な一例では、配合表に含めるために利用可能な５つの異なるブースター組成物がある。
【００６３】
第１のブースター組成物は、肌のたるみ、張り（ｆｉｒｍｎｅｓｓ）の欠如、ライン、およびしわなどの関心事に対処する「アンチエイジング」ブースターである。そのようなアンチエイジングブースターの例としては、レチノール、レチノール誘導体、アノゲイススレイオカルプス樹皮エキス（ＡＮＯＧＥＩＳＳＵＳ  ＬＥＩＯＣＡＲＰＵＳ  ＢＡＲＫ  ＥＸＴＲＡＣＴ）、加水分解紅藻エキス（ＨＹＤＲＯＬＹＺＥＤ  ＲＨＯＤＯＰＨＹＣＥＡ  ＥＸＴＲＡＣＴ）、加水分解亜麻仁エキス、シュードアルテロモナス発酵エキス（ＰＳＥＵＤＯＡＬＴＥＲＯＭＯＮＡＳ  ＦＥＲＭＥＮＴ  ＥＸＴＲＡＣＴ）、マニルカラムルチネルビス葉エキス（ＭＡＮＩＬＫＡＲＡ  ＭＵＬＴＩＮＥＲＶＩＳ  ＬＥＡＦ  ＥＸＴＲＡＣＴ）、ラバンデュラハイブリダ油（ＬＡＶＡＮＤＵＬＡ  ＨＹＢＲＩＤＡ  ＯＩＬ）、マイタケ子実体エキス（ＧＲＩＦＯＬＡ  ＦＲＯＮＤＯＳＡ  ＦＲＵＩＴＩＮＧ  ＢＯＤＹ  ＥＸＴＲＡＣＴ）、ヘラオオバコ葉エキス（ＰＬＡＮＴＡＧＯ  ＬＡＮＣＥＯＬＡＴＡ  ＬＥＡＦ  ＥＸＴＲＡＣＴ）、シアテアメデュラリスエキス（ＣＹＡＴＨＥＡ  ＭＥＤＵＬＬＡＲＩＳ  ＬＥＡＦ  ＥＸＴＲＡＣＴ）、加水分解ヒアルロン酸、リンゴ果実培養細胞エキス（ＭＡＬＵＳ  ＤＯＭＥＳＴＩＣＡ  ＦＲＵＩＴ  ＣＥＬＬ  ＣＵＬＴＵＲＥ  ＥＸＴＲＡＣＴ）、リスベラトロール（ＲＥＳＶＥＲＡＴＲＯＬ）、サリチロイルフィトスフィンゴシン（ＳＡＬＩＣＹＬＯＹＬ  ＰＨＹＴＯＳＰＨＩＮＧＯＳＩＮＥ）がある。
【００６４】
第２のブースター組成物は、毛穴の詰まり、アクネ、上部の黒いにきび、およびテカテカした（ｓｈｉｎｙ）または脂っこい肌などの関心事に対処する脂性肌および欠点ブースターである。そのようなブースターの例としては、レンズマメ（レンズ豆）種子エキス、サルコシン、ボルド葉エキス（ＰＥＵＭＵＳ  ＢＯＬＤＵＳ  ＬＥＡＦ  ＥＸＴＲＡＣＴ）、クリスマムマリチマムエキス（ＣＲＩＴＨＭＵＭ  ＭＡＲＩＴＩＭＵＭ  ＥＸＴＲＡＣＴ）、ナイアシンアミド、サリチル酸、ヒドロキシエチルピペラジンエタンスルホン酸、シモツケソウエキス（ＳＰＩＲＡＥＡ  ＵＬＭＡＲＩＡ  ＥＸＴＲＡＣＴ）、テトラ−ジ−Ｔ−ブチルヒドロキシヒドロケイヒ酸ペンタエリスリチルがある。
【００６５】
第３のブースター組成物は、荒れた肌、くすんだ肌、および乾燥した肌などの関心事に対処する「くすみおよび乾燥」ブースターである。そのようなブースターの例としては、加水分解コメタンパク、ジャノヒゲ根エキス（ＯＰＨＩＯＰＯＧＯＮ  ＪＡＰＯＮＩＣＵＳ  ＲＯＯＴ  ＥＸＴＲＡＣＴ）、キノア種子エキス（ＣＨＥＮＯＰＯＤＩＵＭ  ＱＵＩＮＯＡ  ＳＥＥＤ  ＥＸＴＲＡＣＴ）、タマリンドガム（ＴＡＭＡＲＩＮＤＵＳ  ＩＮＤＩＣＡ  ＳＥＥＤ  ＧＵＭ）、キシリチルグルコシド（ＸＹＬＩＴＹＬＧＬＵＣＯＳＩＤＥ）（および）アンヒドロキシリトール（および）キシリトール、セラミド誘導体、ヒマワリ（向日葵）種子油不けん化物、ミリスチルリンゴ酸ホスホン酸、マンノース、２−オレアミド−１，３−オクタデカンジオールがある。
【００６６】
第４のブースター組成物は、不均一な色合い、しみ、および色素沈着などの関心事に対処する「色合い」ブースターである。そのようなブースターの例としては、アセチルトリフルオロメチルフェニルバリルグリシン、アスコルビン酸および誘導体、フェニルエチルレゾルシノール（ＰＨＥＮＹＬＥＴＨＹＬ  ＲＥＳＯＲＣＩＮＯＬ）、ディオスコレアビロサ（野生ヤマノイモ）根エキス（ＤＩＯＳＣＯＲＥＡ  ＶＩＬＬＯＳＡ  （ＷＩＬＤ  ＹＡＭ）  ＲＯＯＴ  ＥＸＴＲＡＣＴ）、ヒドロキシフェノキシプロピオン酸、ヒドロキシパルミトイルスフィンガニン（ＨＹＤＲＯＸＹＰＡＬＭＩＴＯＹＬ  ＳＰＨＩＮＧＡＮＩＮＥ）、フェルラ酸、ジラウリン酸スクロース（および）エンドウ（エンドウ豆）エキス、サッカロミセス／キシリヌム／紅茶培養物（ＳＡＣＣＨＡＲＯＭＹＣＥＳ／ＸＹＬＩＮＵＭ／ＢＬＡＣＫ  ＴＥＡ  ＦＥＲＭＥＮＴ）、ハス花エキス（ＮＥＬＵＭＢＯ  ＮＵＣＩＦＥＲＡ  ＦＬＯＷＥＲ  ＥＸＴＲＡＣＴ）がある。
【００６７】
第５のブースター組成物は、赤み、しみのある肌、およびアレルギーなどの関心事に対処する「敏感肌」ブースターである。そのようなブースターの例としては、マデカソシド（ＭＡＤＥＣＡＳＳＯＳＩＤＥ）、異性化糖（ＳＡＣＣＨＡＲＩＤＥ  ＩＳＯＭＥＲＡＴＥ）、パルミトイルトリペプチド−８、パンテノール、オリーブ（オリーブ）葉エキス、セイヨウハッカ（ペパーミント）エキス、セイヨウウスユキソウエキス、グリチルリチン酸二カリウム、アセチルジペプチド−１セチルエステル、アセチルテトラペプチド−１５、ボスウェリアセラタエキス（ＢＯＳＷＥＬＬＩＡ  ＳＥＲＲＡＴＡ  ＥＸＴＲＡＣＴ）、パルミトイルプロリンナトリウム（および）ニンファエアアルバ花エキス（ＮＹＭＰＨＡＥＡ  ＡＬＢＡ  ＦＬＯＷＥＲ  ＥＸＴＲＡＣＴ）がある。
【００６８】
図１６は、配合表に含まれるベース組成物のタイプを選択するようにユーザに促すための出力画面の一例を示す。この例における選択は、クリームベースまたはセラムベースの間である。
【００６９】
図１７は、軽いテクスチャまたはリッチなテクスチャの間でブレンドされた組成物のテクスチャのタイプを選択するようにユーザに促すための出力画面の一例を示す。軽いテクスチャまたはリッチなテクスチャの選択は、ユーザがクリームベースまたはセラムベースのどちらかを決めると、どの特定のタイプのベース組成物が使用されるかの選択である。当技術分野で理解されるように、さまざまなタイプのクリームベースがあり、一方は、主な乳化剤として糖エステルをもつ従来の水中油型エマルションクリームなどの軽いテクスチャであってよく、他方は、主な乳化剤として乳化シリコーンエラストマー（ＫＳＧ２１０）をもつ油中水型エマルションクリームなどのリッチなテクスチャを有してよい。同様に、軽いテクスチャセラムの一例は、ヒアルロン酸ナトリウムをもつ乳化ゲルなどの、塗布時に水分をより多く含んだセラムである。リッチなテクスチャをもつセラムの一例は、高濃度の非乳化シリコーンエラストマーをもつ乳化ゲルなどの、良好な伸張性を有するセラムである。
【００７０】
図１８は、清潔感のある匂い、アンチエイジングの匂い、潤いのある（ｈｙｄｒａｔｉｎｇ）匂い、または無臭から配合表に含まれる香りのタイプを選択するようにユーザに促すための出力画面の一例を示す。これらのタイプの香りのブースター組成物は、当技術分野では、香料および溶媒基剤の組み合わせに基づいて、容易に理解される。
【００７１】
図１９は、上記で決定された優先事項または関心事に基づいてユーザのための具体的な配合表を決定するために使用されるルールのセットの一例を示す。図１９に示されるように、この例では、全体のブレンドされた組成物のうち、９０％はベース組成物から構成され、１０％はブースター組成物から作製され、１％は香りブースターに使用されることがわかる。個々の残りのブースターは、全体のブレンドされた組成物の３％の倍数単位で使用される。１つの肌の関心事のみが最優先事項として受け取られる場合、９％（３×３％）すべては、同じブースターに対するものである。
【００７２】
２つの肌の関心事が最優先事項に与えられる場合、２つの肌の関心事の各々に与えられる相対的な重みに応じて、２つのケースがある。２つの肌の関心事が同じ重みを有する場合、ブースターの各々の単一の３％ショット（ｓｈｏｔ）が配合表に追加され、ベース組成物の追加の３％ショットも追加される。２つの肌の関心事の一方が、より高い重みを有する場合、６％（２×３％）が、より高く重み付けされた肌の関心事に対応するブースターに使用され、３％が、より低く重み付けされた肌の関心事に対応するブースターに使用される。
【００７３】
３つの肌の関心事が、最優先事項として与えられる場合、各肌関心事に対応する各ブースターの単一の３％ショットが配合表に追加される。
【００７４】
図２０は、選択されたベース組成物、選択された香りブースター、およびユーザの最優先事項に対応する１つまたは複数のブースター組成物の割り振られたパーセンテージの組み合わせとして、配合表を決定するために情報処理装置の回路網によって実行されるプロセスまたはアルゴリズムを示す。
【００７５】
ステップ２０１０では、回路網は、ベース組成物および香りブースターの選択を受け取り、ブレンドされた組成物全体の配合表の所定のパーセンテージをこれらの選択の各々にそれぞれ割り振る。図１９に示されるルールのセットでは、ベース組成物に割り振られた所定のパーセンテージが９０％であり、香りブースターに割り振られた所定のパーセンテージが１％である例が与えられている。
【００７６】
ステップ２０１２では、回路網は、ユーザの、最優先事項である肌の関心事の数Ｎを受け取り、任意選択で、高、中、または低などの、最優先事項である肌の関心事の各々に対応する重みも受け取る。最優先事項である肌の関心事の数が１である場合、プロセスはステップ２０１４に進み、回路網は、ベース組成物および香りブースターにすでに割り振られたパーセントを減算した後の、ブレンドされた組成物配合表の残りのパーセンテージのすべてが、１つの最優先事項関心事に対応するブースター組成物に割り振られる予定であることを決定する。図１９におけるルールの例示的なセットに示されるように、Ｎ＝１であるとき、９％（３×３％）が１つの最優先事項ブースター組成物に割り振られる結果になる。
【００７７】
代替的に、Ｎ＝３の場合、プロセスはステップ２０１６に進む。このステップでは、回路網は、ベース組成物および香りブースターにすでに割り振られたパーセントを減算した後の、ブレンドされた組成物配合表の残りのパーセンテージが、３つの最優先事項関心事の各々に対応するブースター組成物に均等に分割される予定であることを決定する。図１９におけるルールの例示的なセットに示されるように、Ｎ＝３であるとき、最優先事項ブースター組成物の各々の３％が配合表に割り振られる結果になる。
【００７８】
代替的に、Ｎ＝２のとき、プロセスはステップ２０１８に進み、２つの最優先事項関心事のうちの一方が他の最優先事項関心事よりも高い重みを有するかどうかに関するさらなる決定が行われる。
【００７９】
最優先事項関心事の各々が等しい重みを有する（両方が「中」の重みを有するなど）場合、プロセスはステップ２０２０に進み、回路網は、ベース組成物および香りブースターにすでに割り振られたパーセントを減算した後の、ブレンドされた組成物配合表の残りのパーセンテージが、２つの最優先事項関心事の各々に対応するブースター組成物とベース組成物に、等しい割り当て分で割り振られる予定であることを決定する。図１９におけるルールの例示的なセットに示されるように、これはケースＡに対応し、ケースＡでは、最優先事項ブースターの各々が３％の割り振りを受け、残りの３％が、ベース組成物の余分なショットに割り振られる。したがって、このシナリオでは、ベース組成物は、実際には、全ブレンドされた組成物配合表の９３％を示す。
【００８０】
ステップ２０１８からの２つの最優先事項関心事のうちの一方が、他の最優先事項関心事よりも高い重みを有する場合、プロセスはステップ２０２２に進み、回路網が、ベース組成物および香りブースターにすでに割り振られたパーセントを減算した後の、ブレンドされた組成物配合表の残りのパーセンテージは、所定の大部分の量が、より高い優先事項のブースターに割り振られ、所定のより少ない量が、より低い優先事項のブースターに割り振られるように割り振られる予定であることを決定する。図１９の例では、このことは、より高い優先事項のブースターが６％（２×３％）の割り振りを受け、より低い優先事項ブースターが３％の割り振りを受けることを意味する。
【００８１】
選択されたベース組成物、選択された香りブースター、およびユーザの最優先事項に対応する１つまたは複数のブースター組成物の最終的な割り振られるパーセンテージが決定された後、プロセスは終了し、最終的な配合表が決定される。次いで、最終的な配合表は、ブレンド装置１００に送信および／または記憶可能である。上述のように、情報処理装置、外部サーバ、またはブレンド装置１００の回路網は、図２０に示されるプロセスを実行してよい。
【００８２】
さらに、配合表を決定するための、図２０のアルゴリズムと異なるアルゴリズムが利用されてよい。たとえば、２つの主な関心事が決定されるアルゴリズムが利用されてよい。Ｘ軸に関する第１の関心事とＹ−軸に関する第２の関心事をもつ２次元の表に基づいて、ベースは、表中の２つの関心事の交差点によって決定される。その後、診断とライフスタイルの質問の混合物をもつアンケートが消費者に与えられてよい。質問に対する各肯定的な回答は、１つのブースターの一部分の用量が配合表に追加されることによって変換される。ブースターの数に応じて、ベース量は、配合表の全体積の１００％から９０％の間で調整される。
【００８３】
この時点で、ブレンド装置は、図９に示されるプロセスを実行し、このプロセスでは、回転式コンベア内に挿入された現在のカートリッジが、受け取られた配合表に必要とされるベースカートリッジおよびブースターカートリッジに照らしてチェックされる。必要とされるカートリッジが挿入されていない場合、ブレンド装置は、正しいカートリッジが挿入される必要があることをブレンド装置のユーザ（ビューティーアドバイザ（ＢＡ）など）に知らせるメッセージを（たとえば、ディスプレイモジュール７８０上に）出力する。図１２に示されるように、ＢＡは、必要とされるカートリッジをインベントリ１２４０から取り出し、正しいカートリッジをブレンド装置へと挿入してよい。このプロセス処理中、ブレンド装置１００の上部アクセスパネルが開閉されると、ブレンド装置は、ＮＦＣインタフェースを使用してスキャンを実行し、現在据え付けられているカートリッジを決定する。正しいカートリッジが据え付けられている場合、図１０および図１１に示されるプロセスは、ブレンドされた組成物を分配および混合するために実行される。
【００８４】
エンドツーエンドプロセスが、図１２に示されるシステム１２００を使用してどのように進み得るかの一例を提供する詳細なフローチャートが、図２１に示されている。
【００８５】
第１のサブプロセス２１０１は、タブレットデバイス１２１０上でビューティーアドバイザ（ＢＡ）によって実行され、ＢＡが初めてログインする場合は、ＢＡが登録情報を入力し、そうでない場合は、ＢＡは、先在するログイン情報を入力する。次いで、サブプロセス２１０２は、タブレット１２１０上で実行され、顧客が初めてログインしている場合顧客が登録情報を入力し、そうでない場合は、顧客は先在するログイン情報を入力する。次に、ブレンドのタイプの選定は、ステップ２１０３において、タブレット１２１０へと入力される。自動ブレンドが生成されるか、手動ブレンドが入力されるか、または先在する配合表が選択されるか、のいずれかである。自動ブレンドが選択されたとき、プロセスは２１０４に移動し、肌診断が実行される。肌診断は、上記で説明されたようにユーザのための関心エリアを識別するために上記で論じられたツールのいずれか１つによって実行される。肌診断の結果が出力された後、ＢＡは、ステップ２０１５において、最上位の肌考慮事項（優先事項）を決定するために顧客に質問する。最上位の肌優先事項に基づいて、ブレンドのための配合表がステップ２１０６において決定される。手動ブレンドまたは先在する配合表が、サブプロセス２１０３において選択される場合、これらの選択は、ステップ２１０６に直接的に進む。
【００８６】
ブレンドのための配合表が決定された後、配合表は、ステップ２１０７において配合表のための成分がチェックされる装置／機械１００に送出される。成分がオーケーである場合、装置／機械１００が、ジャー（出力容器）を分配エリアに置くようにＢＡに促し（２１０８）、次いで、ステップ２１０９において、成分をブレンドして出力容器へと分配するプロセスが実行される。成分チェックプロセスにおいて、誤ったベースカートリッジまたはブースターカートリッジが装置１００に挿入されている、ベースカートリッジもしくはブースターカートリッジのうちの一方における低い体積、期限切れになったベースカートリッジもしくはブースターカートリッジ、またはベースカートリッジもしくはブースターカートリッジの喪失などのエラーがある場合、装置／機械１００は、ステップ２１１０においてエラーを直すようにＢＡに促す。
【００８７】
ステップ２１１１において、分配プロセスが進行中である。ステップ２１１２において、分配は、プロセスのうちの一方におけるロックアップ、または主な蓋が開いていることにより、エラーを経験することがある。分配プロセス中にエラーがある場合、装置／機械１００は、ステップ２１１３においてエラーを直すようにＢＡに促す。分配プロセスがエラーなしで（２１１２におけるＯＫ）進む場合、ステップ２１１４においてＢＡは、分配が完了したことが通知され、ＢＡは、ジャー／出力容器を閉じて、ジャーをミキサへと置くように促される。出力容器がミキサへと置かれると、およびアクセスパネルが閉じられた後、ＢＡは、ステップ２１１５においてミキサを開始する。同時に、または混合ステップが完成された後、タブレット１２１０は、電子メールアドレスなどの消費者情報を取り出し（２１１６）、ジャー／出力容器のためのラベルを印刷するようにプリンタに命令を送信する（２１１７）。
【００８８】
ステップ２１１８において、分配プロセスが進行中である。ステップ２１１９において、混合は、主な蓋が開いていることによるエラーがあるかどうかを決定するためにチェックされることがある。混合プロセス中にエラーがある場合、装置／機械１００は、ステップ２１２０においてエラーを直すようにＢＡに促す。混合プロセスがエラーなしで（２１１９におけるＯＫ）進む場合、混合は完了し、出力容器は準備が整っている。
【００８９】
ステップ２１２１において、印刷は、プリンタへの接続失敗、プリンタがオフである、プリンタのインクが少ない、または挿入されている印刷媒体（ラベルなど）がないことによるエラーがあるかどうかを決定するためにチェックされることがある。印刷プロセス中にエラーがある場合、装置／機械１００は、ステップ２１２２においてエラーを直すようにＢＡに促す。印刷プロセスがエラーなしで（２１２１におけるＯＫ）進む場合、印刷は完了する。
【００９０】
混合と印刷の両方が完了すると、次いで、最終製品は準備が整っていると考えられる（２１２３）。この時点で、タブレット１２１０は、最終製品はピックアップの準備ができていることをユーザに通知するために、取り出された消費者情報に基づいて、ユーザに電子メール（またはテキストメッセージ）を送信する。さらに、消費者に関連した最終製品の記録が、外部デバイス１２３０に送信され（すなわち、「クラウド」に投稿され）、プロセスが完了する。
【００９１】
上記の教示を考慮して、本開示の多数の修正形態および変形形態が可能である。したがって、添付の特許請求の範囲内で、特許請求される発明は、本明細書において具体的に説明されたもののほかに、別の方法で実施されてよいことが理解されるべきである。
【図１Ａ】
2019509768.tif 000003
【図１Ｂ】
2019509768.tif 000004
【図１Ｃ】
2019509768.tif 000005
【図２Ａ−２Ｂ】
2019509768.tif 000006
【図２Ｃ】
2019509768.tif 000007
【図２Ｄ】
2019509768.tif 000008
【図３Ａ−３Ｂ】
2019509768.tif 000009
【図４Ａ】
2019509768.tif 000010
【図４Ｂ】
2019509768.tif 000011
【図５】
2019509768.tif 000012
【図６Ａ】
2019509768.tif 000013
【図６Ｂ】
2019509768.tif 000014
【図７】
2019509768.tif 000015
【図８】
2019509768.tif 000016
【図９】
2019509768.tif 000017
【図１０】
2019509768.tif 000018
【図１１Ａ】
2019509768.tif 000019
【図１１Ｂ】
2019509768.tif 000020
【図１２】
2019509768.tif 000021
【図１３】
2019509768.tif 000022
【図１４Ａ】
2019509768.tif 000023
【図１４Ｂ】
2019509768.tif 000024
【図１５】
2019509768.tif 000025
【図１６】
2019509768.tif 000026
【図１７】
2019509768.tif 000027
【図１８】
2019509768.tif 000028
【図１９】
2019509768.tif 000029
【図２０】
2019509768.tif 000030
【図２１】
2019509768.tif 000031
【国際調査報告】
2019509768.tif 000032
2019509768.tif 000033